【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
撮像画像のデータを用いて、表示装置に表示される表示画像のデータを生成する画像データ生成装置であって、
前記撮像画像のデータを取得する撮像画像データ取得手段と、
ユーザによって指示された前記撮像画像上の関心領域の位置データを取得する位置データ取得手段と、
前記撮像画像のデータと前記位置データとを用いて、前記表示画像のデータを生成する表示データ生成手段と、
を備え、
前記位置データ取得手段は、複数の前記関心領域の前記位置データおよび表示倍率を対応付けて取得可能であり、
前記表示データ生成手段は、前記複数の位置データおよび表示倍率を前記表示装置に表示するための第１のデータと、前記撮像画像の一部分を拡大した拡大画像を前記表示装置に複数同時に表示するための第２のデータとを生成し、
前記表示装置に表示された前記複数の表示倍率の中から、ユーザによって指定された特定の範囲の表示倍率に対応付けられた位置データを一括して選択可能であり、
前記表示データ生成手段は、各拡大画像がそれぞれ前記一括して選択された位置データのうちの１つに対応する前記関心領域を含み、前記撮像画像の一部分が該位置データと対応付けられた表示倍率で表示されるように、前記複数の拡大画像を生成する
画像データ生成装置。
【請求項２】
前記表示データ生成手段は、
前記表示倍率に応じた表示態様で表示されるように、前記第１のデータおよび／または第２のデータを生成する、
請求項１に記載の画像データ生成装置。
【請求項３】
前記表示データ生成手段は、
前記表示装置における前記拡大画像の表示位置を、前記位置データの選択順序に基づいて決定する
請求項１または２に記載の画像データ生成装置。
【請求項４】
前記表示データ生成手段は、
前記表示装置における前記拡大画像の表示領域を、前記位置データの選択数に基づいて決定する
請求項１〜３のいずれか１項に記載の画像データ生成装置。
【請求項５】
前記表示データ生成手段は、
前記複数の位置データのうち、選択済みの位置データを非選択の位置データの表示態様とは異なる表示態様で表示されるように、前記第１のデータを生成する、
請求項１〜４のいずれか１項に記載の画像データ生成装置。
【請求項６】
前記表示データ生成手段は、
前記撮像画像の一部分を拡大した第２拡大画像を前記表示装置に表示するためのデータも生成し、
前記撮像画像の一部分は、ユーザによって指定された第２拡大画像位置および第２拡大画像表示倍率に基づいて拡大され、
前記関心領域は、前記表示装置に表示された前記第２拡大画像上からユーザによって指示可能であり、
前記表示倍率は、前記ユーザによる関心領域の指示時にユーザによって指定可能である
請求項１〜５のいずれか１項に記載の画像データ生成装置。
【請求項７】
前記複数の位置データおよび表示倍率を対応付けたリストを、前記撮像画像データと関連付けて格納する記憶手段と、
前記撮像画像データ取得手段から取得した撮像画像データと前記記憶手段から取得した前記リストに関連付けられた撮像画像データが一致しているか否かを判断するリスト整合手段と、
を更に有する、請求項１〜６のいずれか１項に記載の画像データ生成装置。
【請求項８】
撮像画像のデータを用いて、表示装置に表示される表示画像のデータを生成する画像データ生成装置であって、
前記撮像画像のデータを取得する撮像画像データ取得手段と、
ユーザによって指示された前記撮像画像上の関心領域の位置データを取得する位置データ取得手段と、
前記撮像画像のデータと前記位置データとを用いて、前記表示画像のデータを生成する表示データ生成手段と、
を備え、
前記位置データ取得手段は、複数の前記関心領域の前記位置データおよび表示倍率を対応付けて取得可能であり、
前記表示データ生成手段は、前記複数の位置データおよび表示倍率を前記表示装置に表示するための第１のデータと、前記撮像画像の一部分を拡大した拡大画像を前記表示装置に複数同時に表示するための第２のデータとを生成し、
前記表示装置に表示された前記複数の位置データの中から、ユーザによって指定された特定の範囲の位置データを一括して選択可能であり、
前記表示データ生成手段は、各拡大画像がそれぞれ前記一括して選択された位置データのうちの１つに対応する前記関心領域を含み、前記撮像画像の一部分が該位置データと対応付けられた表示倍率で表示されるように、前記複数の拡大画像を生成する、
画像データ生成装置。
【請求項９】
撮像画像のデータを用いて、表示装置に表示される表示画像のデータを生成する画像データ生成装置であって、
前記撮像画像のデータを取得する撮像画像データ取得手段と、
ユーザによって指示された前記撮像画像上の関心領域の位置データを取得する位置データ取得手段と、
前記撮像画像のデータと前記位置データとを用いて、前記表示画像のデータを生成する表示データ生成手段と、
を備え、
前記位置データ取得手段は、複数の前記関心領域の前記位置データおよび表示倍率を対応付けて取得可能であり、
前記表示データ生成手段は、前記複数の位置データおよび表示倍率を識別記号と対応付けて前記表示装置に表示するための第１のデータと、前記撮像画像の一部分を拡大した拡大画像を前記表示装置に複数同時に表示するための第２のデータと、前記撮像画像の全体画像を表示するための第３のデータとを生成し、
前記表示データ生成手段は、各拡大画像が、前記表示装置に表示された前記複数の位置データのうちユーザによって選択された位置データに対応する前記関心領域を含み、前記撮像画像の一部分が該位置データと対応付けられた表示倍率で表示されるように、前記複数の拡大画像を生成し、
前記識別記号が前記全体画像上の前記選択済みの位置データに対応した位置に表示されるように前記全体画像を生成する、
画像データ生成装置。
【請求項１０】
前記識別記号は、前記関心領域がユーザによって指示された順番を表す順番番号である
請求項９に記載の画像データ生成装置。
【請求項１１】
撮像画像出力装置と、表示装置と、請求項１〜１０のいずれか１項に記載の画像データ生成装置と、を備えた画像データ表示システムであって、
前記画像データ生成装置は、前記撮像画像出力装置から出力された撮像画像のデータを用いて、前記表示装置に表示される表示画像のデータを生成する、
画像データ表示システム。
【請求項１２】
撮像画像のデータを用いて、表示装置に表示される表示画像のデータを生成する画像データ生成方法であって、コンピュータが、
前記撮像画像のデータを取得する撮像画像データ取得工程と、
前記撮像画像上のユーザに指示された関心領域の位置データを取得する位置データ取得工程と、
前記撮像画像のデータと前記位置データとを用いて、前記表示画像のデータを生成する表示データ生成工程と、
を実行し、
前記位置データ取得工程では、複数の前記関心領域の前記位置データおよび表示倍率を対応付けて取得可能であり、
前記表示データ生成工程では、前記複数の位置データおよび表示倍率を前記表示装置に表示するための第１のデータと、前記撮像画像の一部分を拡大し、前記表示装置に複数同時に表示するための第２のデータを生成し、
前記表示装置に表示された前記複数の表示倍率の中からユーザによって指定された特定の範囲の表示倍率に対応付けられた位置データを一括して選択可能であり、
前記複数の拡大画像は、各拡大画像がそれぞれ前記一括して選択された位置データのうちの１つに対応する前記関心領域を含み、前記撮像画像の一部分が該位置データと対応付けられた表示倍率で表示されるように、生成される、
画像データ生成方法。
【請求項１３】
撮像画像のデータを用いて、表示装置に表示される表示画像のデータを生成する画像データ生成方法であって、コンピュータが、
前記撮像画像のデータを取得する撮像画像データ取得工程と、
前記撮像画像上のユーザに指示された関心領域の位置データを取得する位置データ取得工程と、
前記撮像画像のデータと前記位置データとを用いて、前記表示画像のデータを生成する表示データ生成工程と、
を実行し、
前記位置データ取得工程では、複数の前記関心領域の前記位置データおよび表示倍率を対応付けて取得可能であり、
前記表示データ生成工程では、前記複数の位置データおよび表示倍率を前記表示装置に表示するための第１のデータと、前記撮像画像の一部分を拡大し、前記表示装置に複数同時に表示するための第２のデータとを生成し、
前記表示装置に表示された前記複数の位置データの中から、ユーザによって指定された特定の範囲の位置データを一括して選択可能であり、
前記複数の拡大画像は、各拡大画像がそれぞれ前記一括して選択された位置データのうちの１つに対応する前記関心領域を含み、前記撮像画像の一部分が該位置データと対応付けられた表示倍率で表示されるように、生成される、
画像データ生成方法。
【請求項１４】
撮像画像のデータを用いて、表示装置に表示される表示画像のデータを生成する画像データ生成方法であって、コンピュータが、
前記撮像画像のデータを取得する撮像画像データ取得工程と、
前記撮像画像上のユーザに指示された関心領域の位置データを取得する位置データ取得工程と、
前記撮像画像のデータと前記位置データとを用いて、前記表示画像のデータを生成する表示データ生成工程と、
を実行し、
前記位置データ取得工程では、複数の前記関心領域の前記位置データおよび表示倍率を対応付けて取得可能であり、
前記表示データ生成工程では、前記複数の位置データおよび表示倍率を前記表示装置に表示するための第１のデータと、前記撮像画像の一部分を拡大し、前記表示装置に複数同時に表示するための第２のデータと、前記撮像画像の全体画像を表示するための第３のデータとを生成し、
前記複数の拡大画像は、各拡大画像が、前記表示装置に表示された前記複数の位置データのうちユーザによって選択された位置データに対応する前記関心領域を含むみ、該位置データと対応付けられた表示倍率で表示されるように生成され、
前記全体画像は、前記識別記号が前記全体画像上の前記選択済みの位置データに対応した位置に表示されるように生成される、
画像データ生成方法。
【請求項１５】
請求項１２〜１４のいずれか１項に記載の画像データ生成方法の各工程をコンピュータに実行させるためのプログラム。
【手続補正２】
【補正対象書類名】明細書
【補正対象項目名】０００８
【補正方法】変更
【補正の内容】
【０００８】
本発明の第一の態様は、撮像画像のデータを用いて、表示装置に表示される表示画像の
データを生成する画像データ生成装置であって、前記撮像画像のデータを取得する撮像画像データ取得手段と、ユーザによって指示された前記撮像画像上の関心領域の位置データを取得する位置データ取得手段と、前記撮像画像のデータと前記位置データとを用いて、前記表示画像のデータを生成する表示データ生成手段と、を備え、前記位置データ取得手段は、複数の前記関心領域の前記位置データおよび表示倍率を対応付けて取得可能であり、前記表示データ生成手段は、前記複数の位置データおよび表示倍率を前記表示装置に表示するための第１のデータと、前記撮像画像の一部分を拡大した拡大画像を前記表示装置に複数同時に表示するための第２のデータとを生成し、前記表示装置に表示された前記複数の表示倍率の中から、ユーザによって指定された特定の範囲の表示倍率に対応付けられた位置データを一括して選択可能であり、前記表示データ生成手段は、各拡大画像がそれぞれ前記一括して選択された位置データのうちの１つに対応する前記関心領域を含み、前記撮像画像の一部分が該位置データと対応付けられた表示倍率で表示されるように、前記複数の拡大画像を生成する、画像データ装置である。
本発明の第二の態様は、撮像画像のデータを用いて、表示装置に表示される表示画像のデータを生成する画像データ生成装置であって、前記撮像画像のデータを取得する撮像画像データ取得手段と、ユーザによって指示された前記撮像画像上の関心領域の位置データを取得する位置データ取得手段と、前記撮像画像のデータと前記位置データとを用いて、前記表示画像のデータを生成する表示データ生成手段と、を備え、前記位置データ取得手段は、複数の前記関心領域の前記位置データおよび表示倍率を対応付けて取得可能であり、前記表示データ生成手段は、前記複数の位置データおよび表示倍率を前記表示装置に表示するための第１のデータと、前記撮像画像の一部分を拡大した拡大画像を前記表示装置に複数同時に表示するための第２のデータとを生成し、前記表示装置に表示された前記複数の位置データの中から、ユーザによって指定された特定の範囲の位置データを一括して選択可能であり、前記表示データ生成手段は、各拡大画像がそれぞれ前記一括して選択された位置データのうちの１つに対応する前記関心領域を含み、前記撮像画像の一部分が該位置データと対応付けられた表示倍率で表示されるように、前記複数の拡大画像を生成する、画像データ生成装置である。
本発明の第三の態様は、撮像画像のデータを用いて、表示装置に表示される表示画像のデータを生成する画像データ生成装置であって、前記撮像画像のデータを取得する撮像画像データ取得手段と、ユーザによって指示された前記撮像画像上の関心領域の位置データを取得する位置データ取得手段と、前記撮像画像のデータと前記位置データとを用いて、前記表示画像のデータを生成する表示データ生成手段と、を備え、前記位置データ取得手段は、複数の前記関心領域の前記位置データおよび表示倍率を対応付けて取得可能であり、前記表示データ生成手段は、前記複数の位置データおよび表示倍率を識別記号と対応付けて前記表示装置に表示するための第１のデータと、前記撮像画像の一部分を拡大した拡大画像を前記表示装置に複数同時に表示するための第２のデータと、前記撮像画像の全体画像を表示するための第３のデータとを生成し、前記表示データ生成手段は、各拡大画像が、前記表示装置に表示された前記複数の位置データのうちユーザによって選択された位置データに対応する前記関心領域を含み、前記撮像画像の一部分が該位置データと対応付けられた表示倍率で表示されるように、前記複数の拡大画像を生成し、前記識別記号が前記全体画像上の前記選択済みの位置データに対応した位置に表示されるように前記全体画像を生成する、画像データ生成装置である。